(57)【要約】      （修正有）【課題】人によって足の土踏まずの位置が異なることによって足が靴先側に移動することで生じ得る外反母趾の発生を軽減する中敷きを提供する。【解決手段】靴の中底に敷設される中敷きは、中底に敷かれる第１中敷きと、第１中敷きの表面１ＵＳ上に取り付けられる第２中敷き２との結合体より成る。この取り付けに際して、第２中敷き２の第１中敷きの表面１ＵＳに対する相対的位置は、第１中敷きの長手方向ＬＤ及び短手方向ＳＤの両方向に関して調整可能とされる。しかも、取り付けられた第２中敷き２が回転しないように、第２中敷き２は、調整後の各相対位置に於いて、第１中敷きのスライド用溝部５Ａ２，５Ｂ２により、第１中敷きによって固定状態で支持されている。【選択図】図７
0003190415.tif 000002
【実用新案登録請求の範囲】
【請求項１】
第１中敷きと、
前記第１中敷きの表面上に、前記第１中敷きの踵側から爪先側に向けて延在する長手方向及び前記長手方向に直交し且つ前記第１中敷きの幅方向に関する短手方向に沿って、前記第１中敷きに対する相対的位置を調整可能な状態にて、配設される第２中敷きと
を備えることを特徴とする、中敷き。
【請求項２】
請求項１に記載の中敷きであって、
前記第２中敷きは、前記第１中敷きに対する各相対的位置に於いては、前記第１中敷きにより固定状態で支持されている
ことを特徴とする、中敷き。
【請求項３】
中底に配設される中敷として、請求項１又は２に記載の前記中敷きを
備えることを特徴とする、靴。
【考案の詳細な説明】
【技術分野】
【０００１】
この考案は、男性用又は女性用の靴に適用可能な中敷きであって、外反母趾を防止するための中敷き及び当該中敷きが適用される靴（短靴・長靴）に関する。
【背景技術】
【０００２】
靴を履く際に、足の裏が全体的に靴の中敷きの面にフィットする場合には、靴の中底で足が爪先側に前滑りして動くことを軽減する。
【０００３】
そこで、中敷きの内で足の土踏まずの部分に該当する部分は、その周囲部分よりも盛り上がった構造を有する様に設定されている。
【先行技術文献】
【特許文献】
【０００４】
【特許文献１】特表２０１２−５２２６１９号
【非特許文献】
【０００５】
【非特許文献１】Ｄｉｄｉｇｏ  Ｍｉｌｉｍのホームページ（ＵＲＬ：ｈｔｔｐ：／／ｍｉｌｉｍｓａ．ｃｏｍ／ｅｎｇ．ｈｔｍｌ）
【考案の概要】
【考案が解決しようとする課題】
【０００６】
しかし、足の全体の内で土踏まずの部分の位置は人によって異なるため、足の土踏まずの部分が全体的に中敷きの相当部分に接触しない場合が多々ある。その場合には、靴を履いている際に足のフィット感が得られずに、足が中底内で前滑りすることとなり、足の爪先側に体重が偏重的に加わる結果、足の親指及び小指が常に靴の先頭側の裏面と接触状態となって、外反母趾が発生し易くなる。
【０００７】
この様な問題点は、女性用靴又は男性用靴の性別如何に拘わらず、且つ、運動靴又はビジネスシューズという様に靴の種類如何に拘わらず、靴及び中敷きの構造に伴う、一般的に発生し得る問題点である。
【０００８】
この考案は、以上の問題点に鑑みて成されたものであり、その主目的は、土踏まずの部分の位置が人によって異なることを前提とした上で、靴を履いていても外反母趾の発生を軽減し得る中敷きの構造を提供することにある。
【課題を解決するための手段】
【０００９】
本考案の主題に係る中敷きは、第１中敷きと、前記第１中敷きの表面上に、前記第１中敷きの踵側から爪先側に向けて延在する長手方向及び前記長手方向に直交し且つ前記第１中敷きの幅方向に関する短手方向に沿って、前記第１中敷きに対する相対的位置を調整可能な状態にて配設される第２中敷きを備えることを特徴とする。
【００１０】
しかも、本考案の主題に係る中敷きの副題に於いては、前記第２中敷きは、前記第１中敷きに対する各相対的位置に於いては、前記第１中敷きにより固定状態で支持されていることを特徴とする。
【考案の効果】
【００１１】
本考案の主題によれば、第１中敷きに対する第２中敷きの相対的位置を前後方向（長手方向）及び横方向（短手方向）に関して可動可能として調整することが出来る。このため、人によって足の裏全体に対する相対的位置が異なる土踏まずの部分が全体的に中敷きの該当する部分に接触可能となり、足の中敷きに対するフィット状態が得られ、以って足が爪先側へ向けて前滑りする事態を軽減することが出来る。その結果、本中敷きが適用された靴は、外反母趾の発生を軽減し得る。
【００１２】
しかも、本考案の副題に係る中敷きによれば、第１中敷きに対する第２中敷の位置の可動調整後に於いて、第２中敷きが靴の中底内で回転してしまう事態を抑止することが出来る。
【００１３】
以下、本考案の様々な具体化を、添付図面を基に、その効果・利点と共に、詳述する。
【図面の簡単な説明】
【００１４】
【図１】本考案の各実施の形態に係る中敷きが敷設された靴の構成を模式的に示す側面図である。
【図２】本考案の実施の形態１に係る第１中敷きの構成を模式的に示す平面図である。
【図３】図２の第１中敷きに於いて破線で描かれた領域に於ける構成を平面視として模式的に示す拡大平面図である。
【図４】本考案の実施の形態１に係る第２中敷きの表面を平面視として模式的に示す平面図である。
【図５】図４の第２中敷きの裏面の構成を平面視として模式的に示す平面図である。
【図６】第１中敷きの表面上に第２中敷きを取り付けて一体化する際の工程を模式的に示す平面図である。
【図７】本考案の実施の形態２に係る第１中敷きの表面側の構成及び第２中敷きの裏面側の構成を模式的に示す拡大平面図である。
【考案を実施するための形態】
【００１５】
（本考案の各実施の形態に係る靴の構成）
【００１６】
図１は、後述する各実施の形態に係る中敷きが適用される靴（短靴又はブーツ等の長靴）の一例を示す側面図である。尚、図１に於いては、図示の便宜上、中核部たる中敷き３は、透視部分として、破線で示されている。
【００１７】
ここで、靴１０の構成は一例にすぎず、その構成は特定されない。又、靴１０自体は、右足用靴及び左足用靴の各々に共通する構成を備える靴である。
【００１８】
図１に例示される様に、中敷き３は、２枚の大小の中敷き１，２より構成される。先ず、寸法が比較的に大きい第１中敷き１は、靴１０の中底面の全体に亘って敷設されている。ここで、第１中敷き１の厚みは略一定であり、厚みはＴである。そして、中敷きの表面１ＵＳの内で、踵側寄りの、足の土踏まずの部分が当接する面上及びその近傍領域には、寸法が比較的に小さい第２中敷き２が全体的に配設されている。
【００１９】
この中敷き２の第１中敷き１に対する相対的位置は、後述する中敷き３の構造により、第１中敷き１の長手方向及び短手方向の両方向に関して可動・調整可能である。
【００２０】
この中敷き２の調整機能の利用・作用によって、靴１０を履く人の土踏まずの部分が、それぞれの人毎に、全体的に第２中敷き２にフィットし、中底内での足の前滑りが軽減され、外反母趾の発生が軽減・抑止される。
【００２１】
（実施の形態１）
＜中敷き３の構造＞
図２は、本実施の形態に係る中敷き３の第１中敷き１の構成を平面視的に且つ模式的に描いた平面図である。図２では、右足用の第１中敷き１が示されているが、左足用の第１中敷きも、右足用の第１中敷き１と同等の構造を有する。その点では、後述の図３も同様である。ここで、破線領域ＡＲは、当該靴１０を履く人の足裏の土踏まずの部分とその近傍部分が当接する、第１中敷き１の表面１ＵＳの内の一領域に該当する。図２に於いて、第１中敷き１の縦方向ＬＤは、第１中敷き１の踵１Ｂ側から爪先１Ａ側に向けて延在する長手方向に該当する。又、横方向ＳＤは、長手方向ＬＤに直交し且つ第１中敷き１の幅方向に関する短手方向に該当する。
【００２２】
又、図３は、図２の破線領域ＡＲに於ける詳細な構成を模式的且つ平面視的に描いた平面図である。
【００２３】
図３に示される様に、１）中敷き３の特徴点１は、間隔ｄを空けて断続的に長手方向ＬＤに沿って配設され且つその各々が短手方向ＳＤに延在する、貫通した溝状の複数の第１貫通孔４が、第１中敷き１の破線領域ＡＲ内の表面１ＵＳに設けられている点である。更に、２）中敷き３の特徴点２は、複数の第１貫通孔４の左右両側に於いて、長手方向ＬＤに沿って延在し且つ各第１貫通孔４に隣接する部分において十字路の交差を成す様に短手方向ＳＤに沿って貫通する溝状に延在する突出部分５ＡＰを有する第２貫通孔５が、第１中敷き１の破線領域ＡＲ内の表面１ＵＳに設けられている点である。これらの特徴点の詳細は、次の通りである。
【００２４】
即ち、破線領域ＡＲ内の表面１ＵＳを貫通する溝状の第１貫通孔４は、長手方向ＬＤに関して幅Ｗの寸法を有しており、短手方向ＳＤに沿ってスライド可能に長さＬで以って延在していると共に、長手方向ＬＤに関して間隔ｄを以って一列に配列している。
【００２５】
又、平面視に於いて各第１貫通孔４の左サイドには、破線領域ＡＲ内の表面１ＵＳを貫通すると共に、長手方向ＬＤに沿ってスライド可能に延在する溝状の第２貫通孔５Ａが、第１幅Ｗ１を有して、配設されている。各第１貫通孔４の中心軸とその左サイドの第２貫通孔５Ａの中心軸との間隔は、第１間隔Ｄ１である。そして、各第１貫通孔４の左サイドの端面に対向する第２貫通孔５Ａの部分には、十字路の交差点を成す様に、短手方向ＳＤに沿ってスライド可能に延在ないしは張り出した第１突出部分５ＡＰが、配設されている。他方、平面視に於いて各第１貫通孔４の右サイドには、破線領域ＡＲ内の表面１ＵＳを貫通すると共に、長手方向ＬＤに沿ってスライド可能に延在する溝状の第２貫通孔５Ｂが、第２幅Ｗ２を有して、配設されている。ここで、第２幅Ｗ２は第１幅Ｗ１に同等値に設定されていても良い。各第１貫通孔４の中心軸とその右サイドの第２貫通孔５Ｂの中心軸との間隔は、第２間隔Ｄ２である。ここで、第２間隔Ｄ２は第１間隔Ｄ１に等しく設定されていても良い。そして、各第１貫通孔４の右サイドの端面に対向する第２貫通孔５Ｂの部分には、十字路の交差点を成す様に、短手方向ＳＤに沿ってスライド可能に延在ないしは張り出した第２突出部分５ＢＰが、配設されている。
【００２６】
或いは、各第１貫通孔４の短手方向ＳＤに沿った両面に、山谷が連続して成る鋸状の凹凸部４ＳＡＷを設けても良い。この変形例の場合には、後述する図５に例示される突出部６Ｐを第２中敷き２の裏面２ＬＳ上の第１留め部６の付け根部分に設けることで、短手方向ＳＤに沿ってステップ毎に乃至はほぼ連続的に第２中敷き２をスライドさせることにより、第２中敷き２の第１中敷き１に対する相対的位置をステップ的に変更・調整することが出来る。
【００２７】
中敷き３の特徴点は、第２中敷き２に於いても存在する。即ち、３）中敷き３の特徴点３は、第２中敷き２の裏面上の略中央部に、第２中敷き２の第１中敷き１に対する長手方向ＬＤに関する相対的位置を固定して確定させるための第１留め部が配設されている点にある。この第１留め部は、第１中敷き１の特定の第１貫通孔４に嵌合されて回動され、且つ、短手方向ＳＤに沿って当該特定の第１貫通孔４内をスライドされる。更に、４）中敷き３の特徴点４は、第２中敷き２の裏面の内で上記第１留め部の両サイドの部分上に、第２留め部が配設されている点である。各第２留め部は、対応する既述の第２貫通孔５Ａ，５Ｂに嵌合され且つスライドされることで、第１留め部が固定位置に於いて右周り又は左周りに回動しない様に固定する機能を備える。以下、これらの特徴点３，４を詳細に記載する。
【００２８】
ここで、図４は、第２中敷き２の表面２ＵＳの構成を模式的に示す平面図である。図４に於いて、第２中敷き２の表面２ＵＳは、当該靴１０を履く人の足裏の土踏まずの部分とその周辺部分とが当接する面である。従って、本実施の形態では、第２中敷き２の表面２ＵＳの、第１中敷き１の表面１ＵＳに対する相対的位置は、中敷き３の特徴的構成を通じた後述する当該人の位置調整動作によって、その人の土踏まずの部分が表面２ＵＳに全体的にフィットする様に、調整される。そして、第２中敷き２の裏面２ＬＳ側の構成を模式的且つ平面視的に示す平面図が、図５である。
【００２９】
図５に於いて、第２中敷き２の裏面２ＬＳの略中央部には、長手方向ＬＤに短手方向ＳＤよりも長く延びた、その平面視形状が略長方形である第１留め部６が配設されている。この第１留め部６は、短手方向ＳＤに関して、各第１貫通孔４の幅Ｗと略同一の幅Ｗを有する。そして、図６に拡大して示す断面構造に例示されている通り、第１留め部６は、裏面２ＬＳと結合した付け根部分６Ａと、付け根部分６Ａに結合した留め部分６Ｂとより構成される。その内で、付け根部分６Ａは、略円柱状構造より成り、各第１貫通孔４の幅Ｗと略同一である直径φを有し、且つ、第１中敷き１の厚みＴと略等しい長さＴを有する。従って、第１留め部６が特定の第１貫通孔４に嵌合された場合には、第１留め部６の留め部分６Ｂは、円柱体状の付け根部分６Ａの中心軸を回動中心として、左右周りに回動し得る。しかも、第１留め部６の付け根部分６Ａは、短手方向ＳＤに沿って、特定の第１貫通孔４内をスライドし得る。特に、既述の突出部６Ｐが付け根部分６Ａに設けられている場合には、付け根部分６Ａはステップ的に特定の第１貫通孔４内をスライドする。
【００３０】
更に、第２中敷き２の裏面２ＬＳ上には、平面視に於いて第１留め部６の右側に間隔Ｄ１だけ離れた位置に於いて、短手方向ＳＤに第１幅Ｗ１を有する第２留め部７Ａが配設されている。そして、第２留め部７Ａの長手方向ＬＤに関する寸法は幅Ｗに設定されている。ここでは、平面視に於ける第２留め部７Ａの形状は、略正方形とされているが、その平面視形状は任意である。同様に、第２中敷き２の裏面２ＬＳ上には、平面視に於いて第１留め部６の左側に間隔Ｄ２だけ離れた位置に於いて、短手方向ＳＤに第１幅Ｗ２を有する第２留め部７Ｂが配設されている。そして、第２留め部７Ｂの長手方向ＬＤに関する寸法は幅Ｗに設定されている。ここでは、平面視に於ける第２留め部７Ｂの形状は、略正方形とされているが、その平面視形状は任意である。尚、一例として、第２留め部７Ａ，７Ｂの長さは、厚みＴの寸法以下である。
【００３１】
＜第２中敷き２の第１中敷き１に対する相対的位置の調整方法＞
【００３２】
図６の（Ａ）及び（Ｂ）は、第２中敷き２の第１中敷き１に対する相対的位置の調整方法を模式的に示す平面図である。
【００３３】
先ず、図６（Ａ）に示される様に、靴１０を履く人は、第１中敷き１の表面１ＵＳ上の複数の第１貫通孔４の中から、自己の足裏の土踏まずの部分がフィットしそうな位置にあると考える特定の第１貫通孔４を選択して、当該第１貫通孔４内に第２中敷き２の第１留め部６を挿入する。このとき、第１留め部６の付け根部分６Ａの全体が第１中敷き１内に埋もれることとなる。その状態にて、第２貫通孔２の表面２ＵＳ及び裏面２ＬＳを指で把持して、この場合には右周りに第２貫通孔２を約９０度回転させて、第２中敷き２を長手方向ＬＤに並行に位置させる。その上で、第２中敷き２の両サイドの第２留め部７Ａ，７Ｂの各々を第１中敷き１の対応する第２貫通孔５Ａ，５Ｂ内に挿入させて嵌合させる。
【００３４】
次に、当該人は自己の足裏の土踏まず部分を第２中敷き２の表面２ＵＳに当接させて、自己の土踏まず部分が大体において表面２ＵＳにフィットしているか否かを感じ取る。フィット感が無ければ、当該人は、別の第１貫通孔４を選択して同様の手順で縦方向の位置調整を行うことにある。
【００３５】
大体、縦方向に於けるフィット感が得られることになった場合には、その段階で、当該人は、横方向のフィット感の調整を行う。即ち、図６（Ｂ）に示される通りに、当該人は、第２中敷き２を、第１貫通孔４及び第２貫通孔５Ａ，５Ｂの突出部５ＡＰ，５ＢＰの短手方向ＳＤに沿ってスライドさせて土踏まずの横方向の相対的位置調整を行って、全体的な土踏まずのフィット感が感じられる様に、当該人は調整することとなる。この場合、既述した変形例に於ける凹凸部４ＳＡＷ等を採用するときには、第２中敷き２の相対的位置の横方向の調整済み位置は緩みなく固定されて支持されることになる。
【００３６】
調整完了後に於いては、靴を履いている状態での中敷き上での足の前滑り状態は発生しにくくなるので、足の外反母趾の発生を軽減ないしは抑止することが可能となる。
【００３７】
（実施の形態２）
本実施の形態に於いては、既述の図１、図２、図４及び図６（Ｂ）は援用される。
【００３８】
図７（Ａ）は、本実施の形態に係る第１中敷き１の破線領域ＡＲ内の構成を模式的に且つ拡大的に示す平面図である。又、図７（Ｂ）は、本実施の形態に係る第２中敷き２の裏面の構成を模式的に示す平面図である。
【００３９】
図７（Ａ）に示される通り、第１貫通孔４Ａに於いては、長手方向ＬＤに沿って、山谷を成す鋸状の凹凸部４ＳＢがほぼ連続的に配設されており、間隔を介した所定の各位置に於いては、短手方向ＳＤに沿って延在し且つ同様な鋸状の山谷形状を成す凹凸部４ＳＢが配設されて、十字路形状が実現されている。左右サイドの第２貫通孔５Ａ２，５Ｂ２の構造は、実施の形態１の場合と同様であり、同じく十字路構成を成す様に、各位置に於いて突出部５ＡＰ２，５ＢＰ２が配設されている。
【００４０】
他方、図７（Ｂ）に於いて、第２中敷き２の裏面の構造は、略中央部位置の第１留め部６Ａと、その両サイド側に位置する第２留め部７Ａ２，７Ｂ２とより構成される。ここでは、第１留め部６Ａは、上下面及び左右面に、凹凸部４ＳＡ，４ＳＢに嵌まり込むための所定の曲率を有する突出部を有している。
【００４１】
本実施の形態に於ける中敷き３に於ける第２中敷き２の第１中敷き１に対する相対的位置の縦方向及び横方向における調整方法は、実施の形態１で既述した方法に準じたものとなり、この場合においても、外反母趾の発生の軽減・低減ないしは抑止が図られ得る。
【００４２】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００４３】
本考案は、外反母趾の発生を軽減化して抑止可能とするための中敷き及びそれを備えた靴に適用して好適なものである。この場合、靴に関して、短靴又は長靴等の種類は問われないし、且つ、使用者の性別（男性・女性）は問われない。
【符号の説明】
【００４４】
１          第１中敷き
２          第２中敷き
３          中敷き
４          複数の第１貫通孔
４ＳＡＷ    鋸状の凹凸部分
５          左右両側の第２貫通孔
６          第１留め部
７Ａ，７Ｂ  第２留め部
１０        靴
ＬＤ        長手方向
ＳＤ        短手方向
【図１】
0003190415.tif 000003
【図２】
0003190415.tif 000004
【図３】
0003190415.tif 000005
【図４】
0003190415.tif 000006
【図５】
0003190415.tif 000007
【図６】
0003190415.tif 000008
【図７】
0003190415.tif 000009